(57)【要約】      （修正有）【課題】棚部材の取り付けにフォークリフトを必要とせず、狭いスペースでも組み立て可能であるとともに、組み立てと同時に電気機器の収納を行うことができる電気機器収納用箱体を提供する。【解決手段】各支柱部材１１の箱本体内側の側面１１Ｃに、開口部１３を上下方向へ複数開設する。また、金属板を折り曲げてなる固定具２０を、左右方向での一端側が各開口部１３を介して支柱部材１１内へ差し込まれ、他端側が支柱部材１１の側面１１Ｃから突出するようにして支柱部材１１に固定している。そして、棚部材１２を、固定具２０の突出部上に載置した状態で固定具２０と一体化することによって、支柱部材１１間に掛け渡すように取り付ける。【選択図】図１０
2020088341.tif 000002
【特許請求の範囲】
【請求項１】
少なくとも上面が開口する箱本体と、前記開口を閉塞する天板とを有するとともに、
前記箱本体内に少なくとも４本の支柱部材が立設されており、電気機器を載置するための棚部材が、前記支柱部材を四隅として前記支柱部材の間に掛け渡された状態で、上下方向へ複数段取り付けられている電気機器収納用箱体であって、
各前記支柱部材の側面に、開口部が上下方向へ複数設けられているとともに、
各前記開口部を介して左右方向での一端側が前記支柱部材に差し込まれ、他端側が前記支柱部材の側面から前記箱本体内側へ突出する固定具が前記支柱部材に固定されており、
前記棚部材が、前記固定具の突出部上に載置された状態で前記固定具と一体化されることにより取り付けられていることを特徴とする電気機器収納用箱体。
【発明の詳細な説明】
【技術分野】
【０００１】
本発明は、たとえば蓄電池を収納するためのキャビネット等といった電気機器収納用箱体に関するものである。
【背景技術】
【０００２】
従来、たとえば蓄電池等の比較的重量のある電気機器を収納するための電気機器収納用箱体としては、電気機器が載置される棚部材を上下方向へ複数配置したものがある。そして、そのような棚部材の支持構造としては、左右に所定の間隔を隔てて立設された一対の支柱部材に、前後及び箱体の内側に開口する切り欠きを上下方向へ複数設け、当該切り欠き内に棚部材の左右両端を前側から差し込むとする構造が考案されている（たとえば特許文献１）。
【先行技術文献】
【特許文献】
【０００３】
【特許文献１】特開２０１８−６７６３６号公報
【発明の概要】
【発明が解決しようとする課題】
【０００４】
上述したような支持構造を採用すると、棚部材の取り付けにフォークリフトが必要となるため、電気機器収納用箱体の組み立て時に、フォークリフトが動くための広い作業スペースを確保しなければならないという問題があった。また、フォークリフトと棚部材上の電気機器とが干渉するおそれがあることから、棚部材の取り付け後に電気機器を収納する必要があり、電気機器の収納作業も煩わしいという問題があった。
【０００５】
そこで、本発明は、上記問題に鑑みなされたものであって、棚部材の取り付けにフォークリフトを必要とせず、狭いスペースでも組み立て可能であるとともに、組み立てと同時に電気機器の収納を行うことができる電気機器収納用箱体を提供しようとするものである。
【課題を解決するための手段】
【０００６】
上記目的を達成するために、本発明は、少なくとも上面が開口する箱本体と、前記開口を閉塞する天板とを有するとともに、前記箱本体内に少なくとも４本の支柱部材が立設されており、電気機器を載置するための棚部材が、前記支柱部材を四隅として前記支柱部材の間に掛け渡された状態で、上下方向へ複数段取り付けられている電気機器収納用箱体であって、各前記支柱部材の側面に、開口部が上下方向へ複数設けられているとともに、各前記開口部を介して左右方向での一端側が前記支柱部材に差し込まれ、他端側が前記支柱部材の側面から前記箱本体内側へ突出する固定具が前記支柱部材に固定されており、前記棚部材が、前記固定具の突出部上に載置された状態で前記固定具と一体化されることにより取り付けられていることを特徴とする。
【発明の効果】
【０００７】
本発明によれば、各支柱部材の側面に、開口部が上下方向へ複数設けられているとともに、各開口部を介して左右方向での一端側が支柱部材に差し込まれ、他端側が支柱部材の側面から箱本体内側へ突出する固定具が支柱部材に固定されている。そして、棚部材が、固定具の突出部上に載置された状態で固定具と一体化されることにより取り付けられている。そのため、棚部材の取り付けに関しては、クレーンにより箱本体の上面の開口から棚部材を搬入しつつ行うことができる。したがって、クレーンよりも広い作業スペースを確保しなければならないフォークリフトを用いずとも棚部材を取り付けることができる。
また、下段から順に棚部材を取り付けていく間に、クレーン等を利用して棚部材上に電気機器を設置することもでき、電気機器の収納作業を効率よく行うことができる。
【図面の簡単な説明】
【０００８】
【図１】電気機器収納用箱体を前側から示した説明図である。
【図２】電気機器収納用箱体の内部を前側から示した説明図である。
【図３】電気機器収納用箱体の内部を上側から示した説明図である。
【図４】支柱部材に対して棚部材を取り付けた状態を側方から示した説明図である。
【図５】固定具を示した説明図であり、（ａ）は上側から、（ｂ）は左側から、（ｃ）は前側から夫々示している。
【図６】支柱部材を示した説明図であり、（ａ）は前面側を、（ｂ）は側面側を夫々示している。
【図７】棚部材を示した説明図であり、（ａ）は下側から、（ｂ）は左側から夫々示している。
【図８】固定具を利用した棚部材の取付構造を前側から拡大して示した説明図である。
【図９】固定具を利用した棚部材の取付構造を上側から拡大して示した説明図である。
【図１０】固定具を利用した棚部材の取付構造を左側から拡大して示した説明図である。
【図１１】変更例となる固定具を示した説明図であり、（ａ）は上側から、（ｂ）は左側から、（ｃ）は前側から夫々示している。
【図１２】変更例となる固定具を利用した棚部材の取付構造を前側から拡大して示した説明図である。
【図１３】変更例となる固定具を利用した棚部材の取付構造を左側から拡大して示した説明図である。
【発明を実施するための形態】
【０００９】
以下、本発明の一実施形態となる電気機器収納用箱体（以下、単に箱体と称す）について、図面にもとづき詳細に説明する。
図１は、箱体１を前側から示した説明図である。図２は、箱体１の内部を前側から示した説明図である。図３は、箱体１の内部を上側から示した説明図である。図４は、支柱部材１１、１１・・に対して棚部材１２を取り付けた状態を側方から示した説明図である。図５は、固定具２０を示した説明図であり、（ａ）は上側から、（ｂ）は左側から、（ｃ）は前側から夫々示している。図６は、支柱部材１１を示した説明図であり、（ａ）は前面１１Ａ側を、（ｂ）は側面１１Ｃ側を夫々示している。図７は、棚部材１２を示した説明図であり、（ａ）は下側から、（ｂ）は左側から夫々示している。図８は、固定具２０を利用した棚部材１２の取付構造を前側から拡大して示した説明図である。図９は、固定具２０を利用した棚部材１２の取付構造を上側から拡大して示した説明図である。図１０は、固定具２０を利用した棚部材１２の取付構造を左側から拡大して示した説明図である。
【００１０】
箱体１は、左右一対の側面３、３、前面４、及び背面５を有して上面及び下面に開口する箱本体と、箱本体の上面開口を閉塞する天板２とを備えてなる。また、箱本体の内部には、各側面３に沿って前後方向へ所定の間隔を隔てて３本の支柱部材１１、１１・・が立設されており、最も前方の支柱部材１１、１１及び最も後方の支柱部材１１、１１を四隅として、支柱部材１１、１１・・間に掛け渡すように、棚部材１２、１２・・が上下方向へ複数段配置されている。そして、各棚部材１２上に、蓄電池や遮断器等の各種電気機器１０が載置可能となっている。なお、箱本体の前面４は、左右に夫々片開きして前面開口を開閉する一対の前扉で構成されている。また、各側面３にも、側面開口を開閉する側扉６が設けられている。そして、箱体１は、チャンネルベース７を介してコンクリート基礎（図示せず）上に設置されるようになっている。
【００１１】
ここで、発明の要部となる棚部材１２の支持構造について説明する。
まず支柱部材１１について説明すると、支柱部材１１は、上下方向に長い帯状の金属板を水平断面視コ字状に折り曲げてなり、前面１１Ａ、後面１１Ｂ、及び側面１１Ｃを有する。そして、支柱部材１１の側面１１Ｃには、上下方向へ所定の間隔毎に複数の開口部１３、１３・・が開設されている。各開口部１３における開口は、側面視矩形の孔とされている。また、前面１１Ａ及び後面１１Ｂにおける各開口部１３の位置に対応する箇所には、後述する固定具２０をネジ止めするための固定孔１４が穿設されている。そして、当該支柱部材１１は、側面１１Ｃが箱体１内側を向いて反対側の側面３内にある支柱部材１１、１１・・のうちの何れか１つと対向するような姿勢で、箱体１の各側面３の内側に立設されている。
【００１２】
次に固定具２０について説明すると、固定具２０は、金属板を下方に開口する側面視門形に折り曲げてなり、前面２０Ａ、上面２０Ｂ、及び後面２０Ｃを有する。該固定具２０の前後幅は開口部１３の前後幅と同じで、上下高さは開口部１３の上下高さと同じとされており、固定具２０は開口部１３を介して支柱部材１１内へ差し込み可能となっている。また、固定具２０の左右長さは支柱部材１１の左右幅の２倍程度とされている。さらに、固定具２０の前面２０Ａ及び後面２０Ｃの左右方向での一端側には、ネジ５０により固定具２０を支柱部材１１にネジ止めするための固定孔（図示せず）が設けられている。加えて、固定具２０の上面２０Ｂの左右方向での他端側（前面２０Ａ及び後面２０Ｃに固定孔が設けられていない側であって、後述の如く突出部となる）には、ネジ５１により固定具２０に棚部材１２を固定するための取付孔（図示せず）が設けられている。そして、当該固定具２０は、一端側が開口部１３を介して支柱部材１１内に差し込まれ、他端側が支柱部材１１よりも箱体１内方へ突出した状態で、ネジ５０、５０により支柱部材１１にネジ止めされる。
【００１３】
さらに棚部材１２について説明すると、棚部材１２は、左右幅が左右の支柱部材１１、１１間の間隔と同じに、前後幅が各側面３内で前後に並ぶ３つの支柱部材１１、１１・・に亘る長さと同じにされた金属板からなる載置板１５と、載置板１５の下面において前後方向へ所定の間隔毎に配設された４つの補強金具１６、１６・・とを備えてなる。補強金具１６は、固定具２０と同様に左右方向へ長い金属板を下方に開口する側面視門形に折り曲げてなる。そして、補強金具１６の前後幅は固定具２０の前後幅よりも十分に広くなっており、棚部材１２の取り付け時には、前縁の補強金具１６及び後縁の補強金具１６内に固定具２０が収容されるようになっている。また、載置板１５の左右両側縁には、ネジ５１により棚部材１２と固定具２０とを一体化するための取付孔１８、１８・・が穿設されている。
【００１４】
そして、上述したような支柱部材１１及び固定具２０を備えた箱体１の組み立て及び箱体１内への電気機器１０の収納について説明すると、まずチャンネルベース７上に箱本体を設置するとともに箱本体内に支柱部材１１、１１・・を立設した後、各支柱部材１１における最も下段の開口部１３を利用して固定具２０を固定する。次に、クレーン等により箱本体の上面開口から棚部材１２を搬入し、前縁及び後縁の補強金具１６、１６の左右両端部内に固定具２０、２０・・の突出部を収容しつつ、棚部材１２を固定具２０、２０・・の突出部上に載置する。それから、ネジ５１、５１・・によって棚部材１２と固定具２０、２０・・とを一体化し、棚部材１２を取り付ける。さらに、再びクレーン等により箱本体の上面開口から電気機器１０を搬入して棚部材１２上に設置する。その後は、各支柱部材１１における開口部１３、１３・・について下から順に固定具２０を固定、該固定具２０への棚部材１２の取り付け、及び棚部材１２上への電気機器１０の設置を繰り返す。そして、最も上段となる棚部材１２への電気機器１０の設置の終了に伴い、箱本体に天板２を取り付けて箱本体の上面開口を閉塞すれば、箱体１の組み立て及び箱体１内への電気機器１０の収納は完了となる。
【００１５】
以上のような構成を有する箱体１によれば、各支柱部材１１の箱本体内側の側面１１Ｃに、開口部１３、１３・・を上下方向へ複数開設している。また、金属板を折り曲げてなる固定具２０を、左右方向での一端側が各開口部１３を介して支柱部材１１内へ差し込まれ、他端側が支柱部材１１の側面１１Ｃから突出するようにして支柱部材１１に固定している。そして、棚部材１２を、固定具２０、２０・・の突出部上に載置した状態で固定具２０、２０・・と一体化することによって、支柱部材１１、１１・・間に掛け渡すように取り付けた。そのため、棚部材１２を箱体１の前方から箱本体内へ搬入する必要はなく、クレーンにより箱本体の上面開口から搬入して取り付けることができる。したがって、クレーンよりも広い作業スペースを確保しなければならないフォークリフトを必要とすることなく棚部材１２を取り付けることができる。
【００１６】
また、下段から棚部材１２を取り付けていく際、棚部材１２の取り付けと同時に電気機器１０の棚部材１２上への設置、すなわち電気機器１０の箱体１への収納を行うことができる。また、電気機器１０の収納に際し、棚部材１２の取り付けに使用するクレーンを利用することも可能である。したがって、箱体１の組み立て後に電気機器１０を収納していた従来と比べて、電気機器１０、１０・・の収納作業を効率よく行うことができる。
【００１７】
なお、本発明に係る電気機器収納用箱体は、上記実施形態の態様に何ら限定されるものではなく、箱体の全体的な構成は勿論、固定具や支柱部材、棚部材等の構成についても、本発明の趣旨を逸脱しない範囲で、必要に応じて適宜変更することができる。
【００１８】
たとえば、図１１〜図１３に示すような固定具３０を採用することも可能である。図１１は、固定具３０を示した説明図であり、（ａ）は上側から、（ｂ）は左側から、（ｃ）は前側から夫々示している。図１２は、固定具３０を利用した棚部材１２の取付構造を前側から拡大して示した説明図である。図１３は、固定具３０を利用した棚部材１２の取付構造を左側から拡大して示した説明図である。
【００１９】
固定具３０は、固定具２０同様に金属板を下方に開口する側面視門形に折り曲げてなるもので、前面３０Ａ、上面３０Ｂ、及び後面３０Ｃを有し、開口部１３内へ差し込み可能となっている。また、固定具３０の左右方向での一端側には、ネジ５０により固定具３０を支柱部材１１にネジ止めするための固定孔（図示せず）が設けられている。さらに、固定具３０の上面３０Ｂの他端側（突出部）には、ネジ５１により固定具３０に棚部材１２を固定するための取付孔（図示せず）が設けられている。加えて、固定具３０の前面３０Ａ及び後面３０Ｃにおける他端側の下部には、下方へ延設された補強片３１が一体的に設けられている。また、前後の補強片３１、３１の一端側の縁部同士を連結する補強板３２が設けられており、該補強板３２にもネジ５０により固定具３０を支柱部材１１にネジ止めするための固定孔（図示せず）が設けられている。
【００２０】
そして、上記固定具３０は、一端側が開口部１３を介して支柱部材１１内に差し込まれ、他端側が支柱部材１１よりも箱体１内方へ突出し、補強板３２の後面が支柱部材１１の側面１１Ｃの表面に当接した状態で、ネジ５０、５０・・により支柱部材１１にネジ止めされる。したがって、固定具３０を利用することで、上記効果に加え、棚部材１２上により重量のある電気機器１０を設置可能となるため、汎用性の高い箱体とすることができるという効果も奏することができる。なお、固定具３０を利用するにあたっては、支柱部材１１の側面１１Ｃで各開口部１３の下方となる位置に、ネジ５０により補強板３２をネジ止めするための固定孔（図示せず）を穿設しなければならない。
【００２１】
また、上記実施形態では、支柱部材として前面、側面、及び後面の３面を有するように金属板を折り曲げたものを採用しているが、角筒状の支柱部材を採用することも当然可能である。さらに、支柱部材を側面から離れた位置（たとえば箱本体の左右方向での略中央部等）に立設してもよく、どのように支柱部材を配置させるかについても適宜変更可能であるし、言うまでもなく支柱部材の数に関しても少なくとも４本あればよく適宜設計変更可能である。
さらに、支柱部材に開設する開口部の数や形状、固定具の形状等についても本発明の趣旨を逸脱しない範囲で適宜変更することができる。
【００２２】
加えて、上記実施形態や変更例では、各固定具２０、３０と棚部材１２とを１箇所（ネジ５１）で固定するとしているが、他端側を更に延設する等して、各固定具２０、３０と棚部材１２とを２箇所で固定するように構成することも可能である。そして、２箇所で固定する場合には、支柱部材１１に近い側のネジとしてリング状のネジ頭を有するアイボルトを、支柱部材１１から遠い側のネジとしてリング状のネジ頭を有さないボルトを夫々採用することが望ましい。そのようなネジを採用することで、アイボルトを利用してクレーンによる棚部材１２のつり下げを容易に行うことができる上、棚部材１２上に電気機器１０の設置のためのスペースを広く確保することができるという効果を奏し得る。
【符号の説明】
【００２３】
１・・電気機器収納用箱体、２・・天板、３・・側面、４・・前面、５・・背面、１０・・電気機器、１１・・支柱部材、１２・・棚部材、１３・・開口部、２０、３０・・固定具、３１・・補強片、３２・・補強板、５０、５１・・ネジ。
【図１】
2020088341.tif 000003
【図２】
2020088341.tif 000004
【図３】
2020088341.tif 000005
【図４】
2020088341.tif 000006
【図５】
2020088341.tif 000007
【図６】
2020088341.tif 000008
【図７】
2020088341.tif 000009
【図８】
2020088341.tif 000010
【図９】
2020088341.tif 000011
【図１０】
2020088341.tif 000012
【図１１】
2020088341.tif 000013
【図１２】
2020088341.tif 000014
【図１３】
2020088341.tif 000015